(57)【要約】【課題】  光記録装置にセットされる相変化型光記録媒体が装置に予め記録されている既存の相変化型記録媒体とは異なる場合であっても、その相変化型光記録媒体に対して好適な記録波形を形成して、常に高い記録品質が維持される光記録装置及びそれを備えた情報処理装置を提供する。【解決手段】  相変化型光記録媒体１００に照射する光の記録パワー、消去パワー、発光波形のうち少なくとも１つを可変する可変手段１８、２０と、可変手段１８、２０によって可変した光によって相変化型光記録媒体１００に記録マークの試し書きをおこなって記録マークの記録品質を検出する検出手段３、１８と、を備える。そして、検出手段３、１８の検出結果に基いて、相変化型光記録媒体１００に対する記録条件を定める。【選択図】        図１
2006244546.tif 000002
【特許請求の範囲】
【請求項１】
相変化型光記録媒体に光を照射して当該相変化型光記録媒体に所望の記録マークを記録する光記録装置であって、
前記相変化型光記録媒体に照射する光の記録パワー、消去パワー、発光波形のうち少なくとも１つを可変する可変手段と、
前記可変手段によって可変した光によって前記相変化型光記録媒体に記録マークの試し書きをおこなって、当該記録マークの記録品質を検出する検出手段と、
前記検出手段の検出結果に基いて前記相変化型光記録媒体に対する記録条件を定めることを特徴とする光記録装置。
【請求項２】
前記光の発光波形をその基本周期に対して整数倍可変する周期可変手段をさらに備えたことを特徴とする請求項１に記載の光記録装置。
【請求項３】
前記整数倍を２倍に設定したことを特徴とする請求項２に記載の光記録装置。
【請求項４】
前記光の発光波形は、フロントパルス部、マルチパルス部、ラストパルス部、クーリングパルス部のうち少なくとも１つのパルス部で構成され、
前記可変手段は、前記パルス部に対する前記光による熱量と、前記記録パワーと前記消去パワーとの比率と、の少なくとも１つを前記光の基準発光波形に対して可変することを特徴とする請求項１〜請求項３のいずれかに記載の光記録装置。
【請求項５】
前記検出手段は、前記光の発光波形におけるラストパルス部の位置が異なるように形成された奇数周期の記録マークと偶数周期の記録マークとを検出することを特徴とする請求項１〜請求項４のいずれかに記載の光記録装置。
【請求項６】
前記検出手段は、前記光の発光波形におけるクーリングパルス部の長さが異なるように形成された複数の記録マークを検出することを特徴とする請求項１〜請求項５のいずれかに記載の光記録装置。
【請求項７】
前記検出手段は、所定の直交表に基いてパラメータを可変して形成された複数の記録マークを検出することを特徴とする請求項１〜請求項６のいずれかに記載の光記録装置。
【請求項８】
前記パラメータは、奇数周期の記録マークと偶数周期の記録マークとを形成するための発光波形におけるラストパルス部の位置差であることを特徴とする請求項７に記載の光記録装置。
【請求項９】
前記パラメータは、前記光の発光波形におけるクーリングパルス部の長さであることを特徴とする請求項７又は請求項８に記載の光記録装置。
【請求項１０】
前記相変化型光記録媒体に設定されている記録波形を検出して、当該記録波形に基いて当該相変化型光記録媒体に対する記録条件を定めることを特徴とする請求項１〜請求項９のいずれかに記載の光記録装置。
【請求項１１】
前記相変化型光記録媒体の記録層は、Ａｇ又は／及びＧｅからなる第１の材料の組成比をα％とし、ｌｎ又は／及びＧａからなる第２の材料の組成比をβ％とし、Ｓｂからなる第３の材料の組成比をγ％とし、Ｔｅ又は／及びＳｎからなる第４の材料の組成比δ％をとし、Ｎ又はＯからなる第５の材料の組成比をε％としたときに、
０＜α≦６
０≦β≦１５
５０≦γ≦７０
５≦δ≦３５
０≦ε≦５
５５＜α＋β＋γ＋δ＋ε≦１００
なる関係が成立するように形成されたことを特徴とする請求項１〜請求項１０のいずれかに記載の光記録装置。
【請求項１２】
請求項１〜請求項１１のいずれかに記載の光記録装置を備えたことを特徴とする情報処理装置。
【発明の詳細な説明】
【技術分野】
【０００１】
この発明は、ＣＤ−ＲＷ、ＤＶＤ−ＲＷ、ＤＶＤ＋ＲＷ等の相変化型光記録媒体に光を照射して所望の記録マークを記録する光記録装置と、それを備えたパーソナルコンピュータ等の情報処理装置と、に関するものである。
【背景技術】
【０００２】
従来から、ＣＤ−ＲＷ、ＤＶＤ−ＲＷ、ＤＶＤ＋ＲＷ等の書換え可能な相変化型光記録媒体に光を照射して所望の記録マークを記録する光記録装置が広く用いられている（例えば、特許文献１参照。）。
【０００３】
詳しくは、光記録装置は、光ピックアップから射出される光（レーザ光）を光記録媒体上に走査させながら照射することで、光記録媒体の記録層における結晶状態を熱量により変化させて、光記録媒体に所望の大きさの記録マークを記録（書込み）する。
これらの光記録装置には、製造メーカーやバージョンの異なる複数種類の既存の相変化型光記録媒体に対する最適な記録波形に関する情報が予め記憶されている。そして、光記録装置にセットされた相変化型光記録媒体に応じて、記憶された情報に基いて最適な記録条件にて記録をおこなっている。
【０００４】
一方、特許文献１等には、相変化型光記録媒体用の光記録装置であって、高速記録時等であっても高い信号特性で記録することを目的として、レーザ光の発光波形を最適化する技術が開示されている。
【０００５】
【特許文献１】特開２００２−２６９７４２号公報
【発明の開示】
【発明が解決しようとする課題】
【０００６】
上述した従来の光記録装置は、装置にセットされる相変化型光記録媒体が装置に予め記録されている既存の相変化型記録媒体とは異なる場合に、その相変化型光記録媒体に対して好適な記録波形を形成できずに記録品質が不充分なものになってしまう場合があった。
【０００７】
すなわち、相変化型光記録媒体が新規参入した製造メーカーによって製造されたものである場合には、その光記録媒体に対する最適な記録波形を光記録装置側で判別できないことになる。また、既存の製造メーカーが製造する光記録媒体であっても、その光記録媒体が新製品である場合には、その光記録媒体に対する最適な記録波形を光記録装置側で判別できないことになる。
【０００８】
このような場合には、光記録装置に予め記憶されている複数の記録条件のいずれかで光記録媒体への記録をおこなうか、場当たり的に固有の記録条件を用いて光記録媒体への記録をおこなっていた。しかし、そのような記録条件は、セットされた光記録媒体に対して最適化されたものではないために、記録品質が不充分なものになってしまう場合があった。
【０００９】
近年の光記録装置では、高速記録を達成するために、発光素子の点滅が可能となるように発光波形を基本周期よりも大きな周期で設定する場合がある。このような場合には、光記録媒体に形成する記録マークの長さを制御することが難しくなるために、特に、上述の問題が無視できないものになっている。
【００１０】
一方、上述した特許文献１等の技術は、レーザ光の発光波形を最適化して良好な信号特性で記録するためのものであって、既存の光記録媒体とは異なる光記録媒体に対して好適な記録波形を形成するものではない。
【００１１】
この発明は、上述のような課題を解決するためになされたもので、装置にセットされる相変化型光記録媒体が装置に予め記録されている既存の相変化型記録媒体とは異なる場合であっても、その相変化型光記録媒体に対して好適な記録波形を形成して、常に高い記録品質が維持される光記録装置及びそれを備えた情報処理装置を提供することにある。
【課題を解決するための手段】
【００１２】
この発明の請求項１記載の発明にかかる光記録装置は、相変化型光記録媒体に光を照射して当該相変化型光記録媒体に所望の記録マークを記録する光記録装置であって、前記相変化型光記録媒体に照射する光の記録パワー、消去パワー、発光波形のうち少なくとも１つを可変する可変手段と、前記可変手段によって可変した光によって前記相変化型光記録媒体に記録マークの試し書きをおこなって、当該記録マークの記録品質を検出する検出手段と、前記検出手段の検出結果に基いて前記相変化型光記録媒体に対する記録条件を定めるものである。
【００１３】
また、請求項２記載の発明にかかる光記録装置は、前記請求項１に記載の発明において、前記光の発光波形をその基本周期に対して整数倍可変する周期可変手段をさらに備えたものである。
【００１４】
また、請求項３記載の発明にかかる光記録装置は、前記請求項２に記載の発明において、前記整数倍を２倍に設定したものである。
【００１５】
また、請求項４記載の発明にかかる光記録装置は、前記請求項１〜請求項３のいずれかに記載の発明において、前記光の発光波形は、フロントパルス部、マルチパルス部、ラストパルス部、クーリングパルス部のうち少なくとも１つのパルス部で構成され、前記可変手段は、前記パルス部に対する前記光による熱量と、前記記録パワーと前記消去パワーとの比率と、の少なくとも１つを前記光の基準発光波形に対して可変するものである。
【００１６】
また、請求項５記載の発明にかかる光記録装置は、前記請求項１〜請求項４のいずれかに記載の発明において、前記検出手段は、前記光の発光波形におけるラストパルス部の位置が異なるように形成された奇数周期の記録マークと偶数周期の記録マークとを検出するものである。
【００１７】
また、請求項６記載の発明にかかる光記録装置は、前記請求項１〜請求項５のいずれかに記載の発明において、前記検出手段は、前記光の発光波形におけるクーリングパルス部の長さが異なるように形成された複数の記録マークを検出するものである。
【００１８】
また、請求項７記載の発明にかかる光記録装置は、前記請求項１〜請求項６のいずれかに記載の発明において、前記検出手段は、所定の直交表に基いてパラメータを可変して形成された複数の記録マークを検出するものである。
【００１９】
また、請求項８記載の発明にかかる光記録装置は、前記請求項７に記載の発明において、前記パラメータを、奇数周期の記録マークと偶数周期の記録マークとを形成するための発光波形におけるラストパルス部の位置差としたものである。
【００２０】
また、請求項９記載の発明にかかる光記録装置は、前記請求項７又は請求項８に記載の発明において、前記パラメータを、前記光の発光波形におけるクーリングパルス部の長さとしたものである。
【００２１】
また、請求項１０記載の発明にかかる光記録装置は、前記請求項１〜請求項９のいずれかに記載の発明において、前記相変化型光記録媒体に設定されている記録波形を検出して、当該記録波形に基いて当該相変化型光記録媒体に対する記録条件を定めるものである。
【００２２】
また、請求項１１記載の発明にかかる光記録装置は、前記請求項１〜請求項１０のいずれかに記載の発明において、前記相変化型光記録媒体の記録層は、Ａｇ又は／及びＧｅからなる第１の材料の組成比をα％とし、ｌｎ又は／及びＧａからなる第２の材料の組成比をβ％とし、Ｓｂからなる第３の材料の組成比をγ％とし、Ｔｅ又は／及びＳｎからなる第４の材料の組成比δ％をとし、Ｎ又はＯからなる第５の材料の組成比をε％としたときに、
０＜α≦６
０≦β≦１５
５０≦γ≦７０
５≦δ≦３５
０≦ε≦５
５５＜α＋β＋γ＋δ＋ε≦１００
なる関係が成立するように形成されたものである。
【００２３】
また、この発明の請求項１２記載の発明にかかる情報処理装置は、請求項１〜請求項１１のいずれかに記載の光記録装置を備えたものである。
【発明の効果】
【００２４】
本発明は、光記録装置にセットされた相変化型光記録媒体に照射する光を可変して試し書きした記録マークの記録品質に基いて、セットされた相変化型光記録媒体の記録条件を定めている。これによって、装置にセットされる相変化型光記録媒体が装置に予め記録されている既存の相変化型記録媒体とは異なる場合であっても、その相変化型光記録媒体に対して好適な記録波形を形成して、常に高い記録品質が維持される光記録装置及びそれを備えた情報処理装置を提供することができる。
【発明を実施するための最良の形態】
【００２５】
実施の形態．
以下、この発明を実施するための最良の形態について、図面を参照して詳細に説明する。なお、各図中、同一又は相当する部分には同一の符号を付しており、その重複説明は適宜に簡略化ないし省略する。
【００２６】
図１は、実施の形態における光記録装置１の構成を示すブロック図である。本実施の形態の光記録装置１は、ＣＤ−ＲＷ、ＤＶＤ−ＲＷ、ＤＶＤ＋ＲＷ、ＤＶＤ−ＲＡＭ等の書換え可能な相変化型光記録媒体１００（光ディスク）に対して、情報の記録（書込み）及び再生（読込み）をおこなう複合型ドライブである。
【００２７】
図１において、１００は相変化型光記録媒体（光記録媒体）、１は光記録装置、２は光記録媒体１００を回転駆動するスピンドルモータ、３は光記録媒体１００にレーザ光（光）を照射する光ピックアップ、４はスピンドルモータ２と光ピックアップ３内のアクチュエータとを駆動制御するモータドライバ、５は光ピックアップ３から送信される各信号を演算処理するリードアンプ、６はモータドライバ４をサーボ制御するための信号を生成するサーボ処理部、を示す。
【００２８】
また、７は２値化された信号を変調するＤＶＤデコーダ、８は光記録媒体１００に刻まれているＡＤＩＰ情報を取り出すＡＤＩＰデコーダ、９はレーザ光源の光量等を制御するレーザコントローラ、１０はＤＶＤに対する情報の正確な書き出し位置を生成するＤＶＤエンコーダ、１１はＤＶＤ−ＲＯＭに対する情報の正確な書き出し位置を生成するＤＶＤ−ＲＯＭエンコーダ、１２は情報を一時記憶するバッファＲＡＭ、１３はバッファＲＡＭ１２を制御するバッファマネージャ、１４はＤＶＤ−ＲＯＭ用の信号を変調するＤＶＤ−ＲＯＭデコーダ、１５はバッファマネージャ１３に電気的に接続されたＡＴＡＰＩ／ＳＣＳＩインターフェース、１６はオーディオ信号を出力するＤ／Ａコンバータ、を示す。
【００２９】
また、１７はＣＰＵ１８にて解読可能なコードで記述された制御プログラムが格納されているＲＯＭ、１８は各ブロックを制御するＣＰＵ、１９は制御に必要な情報が一時的に保存されるＲＡＭ、２０は記録波形を変換するためのパルスジェネレータ、を示す。
ここで、図１中の矢印は、情報（データ）が送信される方向を示すものである。なお、簡単のため、ＣＰＵ１８から各ブロックへの情報の送信方向を示す矢印の図示を省略している。
【００３０】
このように構成された光記録装置１は、次のように動作する。
まず、相変化型光記録媒体１００が光記録装置１にセットされた状態で、光記録装置１の電源がオン状態になると、ＲＯＭ１７に格納された制御プログラムがメインメモリ（不図示である。）にロードされる。そして、ＣＰＵ１８は、その制御プログラムにしたがって各ブロックの動作を制御するとともに、制御に必要な情報等を一時的にＲＡＭ１９に保存する。
【００３１】
一方、光記録媒体１００は、スピンドルモータ２によって回転駆動される。スピンドルモータ２は、モータドライバ４とサーボ処理部６とによって線速度（又は角速度）が一定になるように制御される。なお、スピンドルモータ２の線速度（又は角速度）は、階段的に変更することができる。
【００３２】
図示は省略するが、光ピックアップ３は、半導体レーザ、光学系、フォーカスアクチュエータ、トラックアクチュエータ、受光素子、ポジションセンサ、等で構成されていて、レーザ光を光記録媒体１００に照射する。光ピックアップ３は、シークモータによってスレッジ方向に移動可能に構成されている。光ピックアップ３におけるフォーカスアクチュエータ、トラックアクチュエータ、シークモータは、受光素子とポジションセンサとから得られる信号に基いて、モータドライバ４とサーボ処理部６とによってレーザ光のスポットが光記録媒体１００上の狙いの位置になるように制御される。
【００３３】
そして、リード時（再生時）には、光ピックアップ３によって得られた再生信号が、リードアンプ５で増幅されて２値化される。リードアンプ５では、最長信号振幅を規格化した後に記録マーク信号を増幅して再生信号を２値化する。
ＤＶＤデコーダ７に入力された２値化データは、８／１６復調される。なお、記録データは８ビットずつまとめられて変調（８／１６変調）されていて、８ビットを１６ビットに変換している。この場合に、結合ビットは、それまでの「１」と「０」の数が平均的に等しくなるように付けられて（「ＤＣ成分の抑制」がおこなわれて）、ＤＣカットされた再生信号のスライスレベル変動が抑圧される。
【００３４】
復調されたデータは、デインターリーブとエラー訂正の処理がおこなわれる。その後、このデータは、ＤＶＤ−ＲＯＭデコーダ１４へ入力されて、データの信頼性を高めるためにエラー訂正の処理がおこなわれる。このように２回のエラー訂正の処理がおこなわれたデータは、バッファマネージャ１３によって一旦バッファＲＡＭ１２に蓄えられて、セクタデータとして揃った状態でＡＴＡＰＩ／ＳＣＳＩインターフェース１５を介してホストコンピュータ（不図示である。）へ転送される。なお、音楽データの場合には、ＤＶＤデコーダ７から出力されたデータが、Ｄ／Ａコンバータ１６へ入力されて、アナログのオーディオ出力信号として取り出されることになる。
【００３５】
他方、ライト時（記録時）には、ＡＴＡＰＩ／ＳＣＳＩインターフェース１５を通して、ホストコンピュータから送られてきたデータは、バッファマネージャ１３によって一旦バッファＲＡＭ１２に蓄えられる。その後、ライト動作が開始される直前にレーザスポットの書込み開始位置への位置合わせがおこなわれる。
光記録媒体１００がＤＶＤ＋ＲＷ／＋Ｒである場合、書込み開始位置は、予め光記録媒体１００上にトラックの蛇行により刻まれているウォブル信号によって求められる。また、光記録媒体１００がＤＶＤ−ＲＷ／−Ｒの場合には書込み開始位置がウォブル信号の代わりにランドプリピットによって求められて、光記録媒体１００がＤＶＤ−ＲＡＭ／ＲＡＭ・ＷＯの場合には書込み開始位置がプリピットによって求められる。
【００３６】
なお、ＤＶＤ＋ＲＷ／＋Ｒにおけるウォブル信号には、ＡＤＩＰ（ADress In Pre-groove）と呼ばれるアドレス情報が含まれていて、この情報がＡＤＩＰデコーダ８によって取り出される。
また、このＡＤＩＰデコーダ８によって生成される同期信号は、ＤＶＤエンコーダ１０へ入力されて、光記録媒体１００上の正確な位置へのデータの書き込みを可能にしている。バッファＲＡＭ１２のデータは、ＤＶＤ−ＲＯＭエンコーダ１１やＤＶＤエンコーダ１０において、エラー訂正コードの付加やインターリーブがおこなわれた後に、記録用の信号として８／１６変換される。
【００３７】
記録用に変調された信号は、パルスジェネレータ２０において、装置１にセットされた光記録媒体１００に適した発光波形（記録波形）に変換される。そして、変換後の発光波形に基いて、レーザコントローラ９に制御された光ピックアップ３によって光記録媒体１００に所望の情報（記録マーク）が記録される。
【００３８】
なお、光ピックアップ３の効率を補正するために、記録光における回折光を直接的に受光素子によって測定して、そのパワー変動によってレーザコントローラ９の記録パワーを変更することもできる。
また、光記録媒体１００に対して記録パワーを補正するために、記録後における発光時の反射光の変動から光記録媒体１００に対する記録パワーの効率を測定して、レーザコントローラ９の記録パワーを調整することもできる。
また、アドレスの制御は、ランドプリピットやプリピットからアドレス情報を得る方式にすることもできる。
【００３９】
図２は、図１の光記録装置１を備えた情報処理装置２１の概略図である。
図２に示すように、情報処理装置２１（例えば、パソコン等である。）は、光記録装置１、制御装置２３、インターフェース２５、記録装置（ＨＤＤ）２６、入力装置２２、表示装置２４、等で構成されている。
【００４０】
制御装置２３は、マイクロコンピュータ、メインメモリ等で構成されていて、情報処理装置２１の全体を制御する。
インターフェース２５は、光記録装置１に対する双方向の通信インターフェースであって、ＡＴＡＰＩ、ＳＣＳＩ等の標準インターフェースに準拠している。インターフェース２５は、光記録装置１のインターフェース１５に接続されている。なお、双方のインターフェース１５、２５間の接続は、ＳＣＳＩケーブル等の通信線を用いたケーブル接続や、赤外線等を利用したワイヤレス接続を用いることができる。
【００４１】
記録装置２６には、制御装置２３のマイクロコンピュータにおいて解読可能なコードで記述されたプログラムが格納されている。なお、情報処理装置２１の駆動電源がオン状態になると、記録装置２６に格納されたプログラムが制御装置２３のメインメモリにロードされることになる。
表示装置２４は、ＣＲＴ、液晶ディスプレイ（ＬＣＤ）、プラズマディスプレイパネル（ＰＤＰ）等の表示部を備えていて、制御装置２３からの各種情報を表示する。
【００４２】
入力装置２２は、キーボード、マウス、ポインティングデバイス等の入力部を備えていて、入力された各種情報を制御装置２３に送信する。なお、入力装置２２からの情報伝達はワイヤレス方式でおこなうこともできる。また、表示装置２４と入力装置２２とが一体化されたタッチパネル付きＣＲＴ等を用いることもできる。
また、情報処理装置２１は、オペレーティングシステム（ＯＳ）を搭載している。そして、情報処理装置２１を構成するすべてのデバイスはＯＳによって管理されている。
【００４３】
以下、本実施の形態の光記録装置１における、特徴的な構成・動作について説明する。
本実施の形態の光記録装置１は、新規製造メーカーによって製造された光記録媒体１００や新製品の光記録媒体１００等のような未知の光記録媒体１００がセットされた場合であっても、光記録媒体１００に照射する光を可変して記録マークを試し書きして、その後に試し書きした記録マークの記録品質に基いて、セットされた光記録媒体１００に対して最適な記録条件を定めるものである。そのとき、光記録媒体１００に設定されている記録波形（規格によって標準光記録装置によって設定された記録波形である。）の情報に基いて、セットされた光記録媒体１００に対してさらに好適な記録条件を導出することができる。
【００４４】
図３は、光記録媒体１００への記録をおこなうときに光記録装置１で用いられる、マルチパルス型の記録波形（発光波形）を示す図である。
光（レーザ光）の発光波形は、主として、フロントパルス部（ＦＰ部）、マルチパルス部（ＭＰ部）、ラストパルス部（ＬＰ部）、クーリングパルス部（ＣＰ部）の１つ又は各パルス部の組み合わせで構成される。そして、光記録媒体１００に照射するレーザ光の記録パワーや消去パワーや発光波形が可変される。具体的には、可変手段として機能するＣＰＵ１８及びパルスジェネレータ２０によって、発光波形を形成するパルス部に対してレーザ光による熱量を可変したり、記録パワーと消去パワーとの比率を可変したりすることで、発光波形が基準発光波形に対して可変される。
【００４５】
なお、高速記録時において、発光素子の物理特性によって基本周期Ｔでレーザ光の点滅ができなくなるのを抑止するために、周期可変手段としてのパルスジェネレータ２０によって、発光波形（点滅周期）が基本周期の２倍になるようにマルチパルス部が形成される。このような場合、奇数周期の記録マーク（奇数マーク）の長さと偶数周期の記録マーク（偶数マーク）の長さとの調整が難しくなって、各記録マーク長やスペース長のばらつきによって再生不良が生じる可能性がある。そのため、本実施の形態では、記録マーク長の制御は、奇数マークと偶数マークとのラストパルス部の開始位置を調整したり、すべての記録マークのクーリングパルス部の長さを調整したりしている。
【００４６】
具体的に、本実施の形態における光記録装置１の構成は、従来の相変化型光記録媒体用の光記録装置における光記録媒体への記録手段に、セットされた光記録媒体１００の基準記録波形を読み出す手段と、発光波形（記録波形）のフロントパルス部、マルチパルス部、ラストパルス部の熱量を光記録装置１の記録方式（記録条件）に適したものに変換する手段（可変手段）と、変換した発光波形に基いて光記録媒体上に記録マークを試し書きする手段と、光記録媒体に試し書きされた記録マークの記録品質を検出する手段（検出手段）と、を付加したものである。そして、光記録媒体に試し書きされた記録マークの記録品質についての検出結果に基いて、セットされた光記録媒体１００に対する記録条件が定められて、その記録条件に基いて光記録媒体１００に対する記録・再生がおこなわれる。
【００４７】
発光波形におけるフロントパルス部、マルチパルス部、ラストパルス部の熱量の制御は、発光時間の長さ（フロントパルス長、マルチパルス長、ラストパルス長）を調整することで達成される。なお、試し書きをおこなった光記録媒体１００上の領域は、消去パワーによってその信号を消去することが好ましい。
また、ＣＰＵ１８は、試し書きされた記録マークの記録品質についての検出結果（測定結果）に基いて最適な発光波形を算出する。そして、パルスジェネレータ２０にて、ＣＰＵ１８で算出された最適な発光波形への変換がおこなわれることになる。発光波形の変換は、レーザコントローラ９の記録パワーの設定値を可変することでおこなうことができる。
【００４８】
なお、光記録媒体１００は、その透明基板の材料として、ポリカーボネート、ポリメチルメタクリレート、ポリメチルペンテン、エポキシ等の透明樹脂材料や、ガラス、透明セラミック等を用いることができる。
【００４９】
また、本実施の形態では、光記録媒体１００の記録層に、相変化材料の層と、相変化材料の熱を保持するための断熱層と、が形成されている。そして、光記録媒体１００の記録層は、Ａｇ又は／及びＧｅからなる第１の材料の組成比をα％とし、ｌｎ又は／及びＧａからなる第２の材料の組成比をβ％とし、Ｓｂからなる第３の材料の組成比をγ％とし、Ｔｅ又は／及びＳｎからなる第４の材料の組成比δ％をとし、Ｎ又はＯからなる第５の材料の組成比をε％としたときに、
０＜α≦６
０≦β≦１５
５０≦γ≦７０
５≦δ≦３５
０≦ε≦５
５５＜α＋β＋γ＋δ＋ε≦１００
なる関係が成立するように形成されている。これにより、光記録媒体１００の記録品質が向上することになる。
【００５０】
また、光記録媒体１００の保護層の材料としては、ＳｉＯ、ＳｉＯ2、ＺｎＯ、ＳｎＯ2、Ａｌ2Ｏ3、ＴｉＯ2、Ｉｎ2Ｏ3、ＭｇＯ、ＺｒＯ2等の酸化物、Ｓｉ3Ｎ4、ＡｌＮ、ＴｉＮ、ＢＮ、ＺｒＮ等の窒化物、ＺｎＳ、Ｉｎ2Ｓ3、ＴａＳ4等の硫化物、ＳｉＣ、ＴａＣ、Ｂ4Ｃ、ＷＣ、ＴｉＣ、ＺｒＣ等の炭化物又はダイヤモンド状炭素、又は、これらの２種以上の混合物、を用いることができる。保護層の成形方法としては、スパッタリング、イオンプレーティング、真空蒸着法、プラズマＣＶＤ法等を用いることができる。
【００５１】
また、光記録媒体１００の反射層の材料としては、銀、アルミニウム、銅、金等の金属材料やこれらを主成分とする合金材料を用いることができる。特に、金を主体とする金属又は合金は、反射層の材料として好適である。また、銀を主体として反射層を形成する場合、銀の含有率を８０〜１００原子％（特に、９０〜１００原子％）とすることが好ましい。また、上述した反射層材料の中でアルミニウムは、安価であってコンパクトディスクにおいての使用実績が高い材料である。反射層は、金属材料又は合金材料をスパッタリングや真空蒸着等の真空成膜方法によって形成される。この場合、真空槽内の真空度を変えて（例えば、１０-5トール程度である。）スパッタリングをおこない、密度又は結晶化の状態の違う膜を形成して金属反射膜の反射率を高くする技術を適用することもできる。
【００５２】
また、光記録媒体１００のオーバーコート層は、光硬化樹脂膜を塗布後、光硬化によって成形したものである。オーバーコート層としては、ＵＶ硬化樹脂膜を用いることができる。また、オーバーコート層は、ＳｉＯ、ＳｉＮ、ＡｌＮ等の無機材料を用いて、真空成膜方法によって形成することもできる。
【００５３】
以下、表１〜表５を参照して、本実施の形態の光記録装置１における記録品質についての効果を確認するための実施例について説明する。ここで述べる３つの実施例は、記録マークを試し書きして記録品質を検出するための具体的な手段に対応するものである。
各実施例において、光記録媒体１００としてＣＤ−ＲＷ「３２×ＣＤ−ＲＷ」（三菱化学社製）を用いて、光記録装置１としてＤＶＤ＋Ｒ／ＲＷドライブ（Ａｏｐｅｎ社製）を改造したもの（本実施の形態の光記録装置である。）を用いて、その記録線速を３２×ＣＤとした。また、記録ストラテジ及び記録パワーは、Ｆ／Ｗのパラメータを変更することによっておこなった。基準となる記録波形は、他の光記録媒体に対して最適化された記録波形に基いて変換したものを用いた。また、記録信号は、「ＤＤＵ１０００」（パルステック社製）によって信号を再生した。
【００５４】
発光波形の記録品質は、「ＴＩＡ“ＴＡ５２０”」（ヨコガワ社製）を用いたジッタ特性（σ）の測定結果で評価した。なお、ＣＤ−ＲＷの場合には、ジッタ特性が３５ｎｓ以下であれば良好な記録品質となる。これに対して、ジッタ特性が４０ｎｓ以上になると記録品質及び再生品質が劣化する可能性が高くなる。
また、各実施例では、２Ｔ周期（基本周期の２倍周期である。）の記録パルスを用いている。この場合、記録マークのジッタ特性が良好であっても、各記録マーク長がずれてしまいスペース部のジッタ特性が悪化しやすくなる。そのため、本実施例では、最小スペース長のジッタ特性を用いて記録品質の評価をおこなっている。再生信号の最大値及び振幅値や、最大記録マークと最小記録マークとの振幅中心値は、ＲＦ信号からの各信号レベルをオシロスコープ（Ｔｅｋｔｒｏｎｉｘ社製）で測定してその測定値に基いて求める。
【００５５】
表１を参照して、第１の実施例は、奇数マークと偶数マークとのラストパルス部（ＬＰ）の開始位置を変化させたときのジッタ特性を検出している。基準となる記録波形のジッタ特性は３８．５ｎｓであるが、奇数マークと偶数マークとのラストパルス部の開始位置に対して試し書きをおこなうことによって、奇数マークと偶数マークとのラストパルス部の開始位置を０．０５Ｔずらしたときにジッタ特性が３３．０ｎｓまで改善されることが検出されることになる。このような検出結果に基いて光記録媒体に対する最適な記録条件が定められる。
【００５６】
【表１】
2006244546.tif 000003
【００５７】
表２を参照して、第２の実施例は、クーリングパルス部の長さ（ＣＰ長）を変化させたときのジッタ特性を検出している。基準となる記録波形のジッタ特性は３８．５ｎｓであるが、クーリングパルス部の長さを変更して試し書きをおこなうことによって、その基準のクーリングパルス部の長さであるときにジッタ特性が最も良好であることが検出されることになる。このような検出結果に基いて光記録媒体に対する最適な記録条件が定められる。
【００５８】
【表２】
2006244546.tif 000004
【００５９】
表３〜表５を参照して、第３の実施例は、Ｌ９直交表に基いて複数のパラメータ（制御因子）をそれぞれ可変したきのジッタ特性を検出している。
表３は、記録波形の変化量の割り付けについて示すものである。ここで、可変するパラメータには、上述した第１の実施例におけるラストパルス部の位置差や、上述した第２の実施例におけるクーリングパルス部の長さが含まれる。
表４は、９通り（Ｌ１〜Ｌ９）の記録波形によって試し書きをおこなったときの記録品質の検出結果を示すものである。
表５は、表４の検出結果から各パラメータ（制御因子）に対するジッタ特性の変動値を示すものである。これにより、第１制御因子（ＬＰ開始位置）は水準２のとき、第２制御因子（ＣＰ長）は水準２のとき、第３制御因子（ＦＰ長）は水準２のとき、第４制御因子（ＭＰ長）は水準３のとき、それぞれジッタ特性が良好であることが検出されることになる。このような検出結果に基いて光記録媒体に対する最適な記録条件が定められる。
【００６０】
【表３】
2006244546.tif 000005
【００６１】
【表４】
2006244546.tif 000006
【００６２】
【表５】
2006244546.tif 000007
【００６３】
以上説明したように、本実施の形態の構成によれば、光記録装置１にセットされた相変化型光記録媒体１００に照射する光を可変して試し書きした記録マークの記録品質に基いて、セットされた相変化型光記録媒体１００の記録条件を定めている。これによって、光記録装置１にセットされる相変化型光記録媒体１００が装置１に予め記録されている既存の相変化型記録媒体とは異なる場合であっても、その相変化型光記録媒体１００に対して好適な記録波形を形成して、常に高い記録品質を維持することができる。
【００６４】
なお、本発明が前記実施の形態に限定されず、本発明の技術思想の範囲内において、前記実施の形態の中で示唆した以外にも、実施の形態は適宜変更され得ることは明らかである。また、前記構成部材の数、位置、形状等は前記実施の形態に限定されず、本発明を実施する上で好適な数、位置、形状等にすることができる。
【図面の簡単な説明】
【００６５】
【図１】この発明の実施の形態における光記録装置を示すブロック図である。
【図２】図１の光記録装置を備えた情報処理装置を示す概略図である。
【図３】図１の光記録装置で形成される記録波形を示す波形図である。
【符号の説明】
【００６６】
１  光記録装置（光ディスク装置）、
２  スピンドルモータ、
３  光ピックアップ（検出手段）、
１７  ＲＯＭ、
１８  ＣＰＵ（検出手段、可変手段）、
２０  パルスジェネレータ（可変手段、周期可変手段）、
２１  情報処理装置、
１００  光記録媒体（相変化型光記録媒体）。
【図１】
2006244546.tif 000008
【図２】
2006244546.tif 000009
【図３】
2006244546.tif 000010